(57)【要約】      （修正有）【課題】個性的であり、故人の故事来歴を記すことができ、常時納骨容器内部を乾燥状態とする真空花笠納骨容器を提供する。【解決手段】石材又はセラミックス又はクリスタルガラス又は金属からなり、円筒状で下方に向けて末広がりの中蓋付き容器と、容器に冠着する略半円球状の蓋からなり、蓋の外面には同じく石材又は陶磁器等からなる多数の花を固着してなる。中蓋の空気弁を介して容器内を真空状態とする。中蓋の空気弁上部の板ガラス又はセラミックス板の表面には、故人の故事来歴等を格納した２次元コードを焼き付けてなる。【選択図】図１
0003154811.tif 000002
【実用新案登録請求の範囲】
【請求項１】
石材又は陶磁器製で、円筒状で下方に向けて末広がりとし、内部は底を残して空洞としたガラス製の中蓋付き容器と、当該容器に冠着する略半円球状の蓋からなり、当該蓋の外面には同じく石材又は陶磁器からなる適宜の多数の花を固着してなる真空花笠納骨容器。
【請求項２】
前記容器の上面内側にリング状の欠切部を設け、当該欠切部に弾性材を介してガラス製の中蓋を装着すべく構成してなる請求項１の真空花笠納骨容器。
【請求項３】
前記ガラス製の中蓋に空気弁を配設し、当該空気弁を介して容器内を真空状態とすべく構成してなる請求項１及び請求項２の真空花笠納骨容器。
【請求項４】
中蓋の空気弁上部に板ガラス又はセラミックス板を載置して空気漏れを防ぐ構造となし、当該板ガラス又はセラミックス板の表面には、故人の故事来歴等を格納した２次元コードを焼き付けてなる請求項１及び請求項２及び請求項３の真空花笠納骨容器。
【考案の詳細な説明】
【技術分野】
【０００１】  本考案は、故人の遺骨を納骨する納骨容器（墓）に関するものである。
【背景技術】
【０００２】  従来より骨つぼ（納骨容器）は白の陶磁器製の蓋付容器が一般的であり、格別に個性的な形状のものはみかけない。また墓石も個性的なものも見掛けるが全般的に見れば従来から変わっていない。【０００３】  一方、最近は一般的な墓の建立が困難になっている。原因の一つとして、特に都会においては手近に霊園が確保し難いこと、また墓石も高価なことが上げられるが、近年、一般的な霊園に墓石を建立すると言うのではなく、ロッカータイプの納骨システムが開発されてきた。【０００４】  ロッカータイプの納骨システムにも、石材製から金属製と種々開発されているが、いずれもロッカーの納骨室内部に骨つぼを収納すれば、その周辺にはあまり余裕はなく、献花する余地もないというのが実情である。また仮に献花可能な広さであっても、納骨室は扉で閉ざされることから生花を献花することは困難であった。【０００５】  また、霊園においても、従来からある和墓を建立するのではなく、霊園そのものを芝生を敷き詰めた用地とし、そこに小型の洋墓を建立することも実施されているが、洋墓とはいえ、従来からあるもので、墓石そのものに改良の余地は充分にあったのである。【０００６】  一方、従来の骨つぼは内部に湿気、露滴等による水が溜まることが問題になっており、この問題を解決するためには納骨容器内を常時乾燥状態に保持することが望まれる。【０００７】  従来より位牌には戒名が記されているだけで、故人の来歴等は個人墓であれば拝み石の側面とか背面に刻設されており、○○家の墓等の集合墓には霊標に刻設されているが、納骨容器には一般的に何の表示もされておらず、古いものになれば誰の骨つぼかの判別も難しいのは周知である。【０００８】  一方、拝み石とか霊標に刻設するにも、面積、即ち文字数の制限という問題もあり、特に最近は多い○○家の墓というような集合墓の霊標に刻設する場合には、多くても故人の俗名、没年月日、家族との関係程度しか刻設されていないのが現状である。【０００９】  最近、情報開示に２次元コードが利用されており、その中でもマトリックス方式の２次元コード、例えばＱＲコード（株式会社デンソーウェーブ商標）が広く利用されていることは周知である。当該ＱＲコードであれば漢字及びひらがなで１．８１７文字を記録することが出来る。またこのＱＲコードについては、特許権者のデンソーウェーブは、規格化された技術に対し特許権を行使しないと宣言している。
【考案の開示】
【考案が解決しようとする課題】
【００１０】  解決しようとする問題点は、納骨容器を単なる容器ではなく、個性的な容器とすることであり、更には常時納骨容器内部を乾燥状態とし、また納骨容器に故人の故事来歴を記すことである。
【課題を解決するための手段】
【００１１】  本考案は、納骨容器又は墓を常に花で飾ったものとし、納骨容器を単調な陶磁器の容器でなく美麗な容器とすること、納骨容器内部を常時乾燥状態にすること、納骨容器に故人の故事来歴を記すこと、これらが課題を解決するための手段である。
【考案の効果】
【００１２】  納骨容器は従来は陶磁器の単なる白いつぼであったが、本考案は石材又は陶磁器製で、円筒状で下方に向けて末広がりとし、内部は底を残して空洞としたガラス製の中蓋付き容器と、当該容器に冠着する略半円球状の蓋からなり、当該蓋の外面には同じく石材又は陶磁器からなる適宜の多数の花を固着してなる真空花笠納骨容器であり、更には、前記容器の上面内側にリング状の欠切部を設け、当該欠切部に弾性材を介してガラス製の中蓋を装着すべく構成してなる真空花笠納骨容器であり、更には、前記ガラス製の中蓋に空気弁を配設し、当該空気弁を介して容器内を真空状態とすべく構成してなる真空花笠納骨容器であり、更には、中蓋の空気弁上部に板ガラス又はセラミックス板を載置して空気漏れを防ぐ構造となし、当該板ガラス又はセラミックス板の表面には、故人の故事来歴等を格納した２次元コードを焼き付けてなる真空花笠納骨容器であるから、ロッカータイプの納骨室内に花笠タイプの納骨容器を入れることで、納骨容器は常に花に飾られており、霊園に建立する場合も花笠墓であるから優美であり且つ霊園そのものの雰囲気も和らぐものである。また納骨容器内を真空にすることで、容器内は常時乾燥した状態となり、遺骨が湿気、水分により犯されることはない、しかも、空気弁の押さえの板に２次元コード、本実施例においてはＱＲコードを焼き付けることにより、納骨容器に故人の故事来歴等を詳細に格納することが出来る等、極めて実用的な効果を有するものである。
【考案を実施するための最良の形態】
【００１３】  本考案は、石材又は陶磁器製で、円筒状で下方に向けて末広がりとし、内部は底を残して空洞としたガラス製の中蓋付き容器と、当該容器に冠着する略半円球状の蓋からなり、当該蓋の外面には同じく石材又は陶磁器からなる適宜の多数の花を固着してなる真空花笠納骨容器であり、更には、前記容器の上面内側にリング状の欠切部を設け、当該欠切部に弾性材を介してガラス製の中蓋を装着すべく構成してなる真空花笠納骨容器であり、更には、前記ガラス製の中蓋に空気弁を配設し、当該空気弁を介して容器内を真空状態とすべく構成してなる真空花笠納骨容器であり、更には、中蓋の空気弁上部に板ガラス又はセラミックス板を載置して空気漏れを防ぐ構造となし、当該板ガラス又はセラミックス板の表面には、故人の故事来歴等を格納した２次元コードを焼き付けてなる真空花笠納骨容器を呈せんとするものである。
【実施例１】
【００１４】  図１及び図２に示すように、本体１は円筒状で下方に向けて末広がりとし、下端部分には更に大径とした台座部２を設けると共に、内部は底を残して空洞（納骨部３）とした容器を大理石又は陶磁器により形成する。当該本体１に冠着する蓋４は略半円球状とし、同じく大理石又は陶磁器製としている。当該蓋４の外面には同じく石材又は陶磁器からなる適宜の多数の花５、５…を固着し納骨容器Ａとしている。花５の種類、大きさ、固着方法に限定を受けるものではない。【００１５】  納骨容器本体１の納骨部３の上部にはリング状に欠切部７を形成し、当該欠切部７に適宜の弾性材８を介してガラス製の中蓋９を配設している。【００１６】  中蓋９には納骨部３を真空とするための空気弁１０を配設し、当該空気弁１０の上部をガラス又はセラミックスからなる板１１で覆っている。当該板１１と前記中蓋９の間にはゲル状剤を介在せしめてもよい。空気弁１０については、納骨部３の空気を抜いて真空にできる弁であれば、その形態は問わない。【００１７】  板１１の表面には、故人の故事来歴等を格納したマトリックス方式の２次元コード１２、例えばＱＲコード（株式会社デンソーウェーブ商標）を焼き付けている。ただ当該２次元コード１２はいた１１に限定されるものではなく、納骨容器本体１又は蓋４に平面部を設けて焼き付けてもよく、また２次元コード１２を焼き付けた板を固着してもよい。
【実施例２】
【００１８】  図２に示すように、本体１の下端部分に位置する台座部２の下に更に適宜の高さで台座部２より更に大径の台座６を設け花笠墓Ｂとしている。
【産業上の利用可能性】
【００１９】  本考案は、石材又は陶磁器製で、円筒状で下方に向けて末広がりとし、内部は底を残して空洞３としたガラス製の中蓋９付き容器１と、当該容器１に冠着する略半円球状の蓋４からなり、当該蓋４の外面には同じく石材又は陶磁器からなる適宜の多数の花５、５…を固着してなる真空花笠納骨容器Ａであり、更には、前記容器１の上面内側にリング状の欠切部７を設け、当該欠切部７に弾性材８を介してガラス製の中蓋９を装着すべく構成してなる真空花笠納骨容器Ａであり、更には、前記ガラス製の中蓋９に空気弁１０を配設し、当該空気弁１０を介して容器１内を真空状態とすべく構成してなる真空花笠納骨容器Ａであり、更には、中蓋９の空気弁１０上部に板ガラス又はセラミックス板１１を載置して空気漏れを防ぐ構造となし、当該板ガラス又はセラミックス板１１の表面には、故人の故事来歴等を格納した２次元コード１２を焼き付けてなる真空花笠納骨容器Ａであるから、従来は骨つぼ（納骨容器）と言えば白の陶磁器製の蓋付容器が一般的であり、格別に個性的な形状のものはみかけなかったし、また墓石も個性的なものも見掛けるが全般的に見れば従来から変わっていなかった。更にはロッカータイプの納骨室にあっては、その納骨室のスペースから献花も容易でなく、しかも芝生を敷き詰めたような綺麗な霊園にも従来からの洋墓しか建立されていなかったが、本考案ではロッカータイプの納骨室内に花笠タイプの納骨容器Ａを入れることで、納骨容器Ａは常に花に飾られており、霊園に建立する場合も花笠墓Ｂであるから優美であり且つ霊園そのものの雰囲気も和らぐものである。また、納骨部３の上端には欠切部７を設けて中蓋９を配設し、当該中蓋９に付設した空気弁１０にて納骨部３内を真空としているので、納骨部３内は常時乾燥状態に維持でき、遺骨が損傷することはない、しかも空気弁１０を覆う板１１には故人の故事来歴を格納した２次元コード１２を配設しているので空気漏れを防ぐと共に、携帯電話等にり２次元コードを読み取れば故人の故事来歴が詳細に分かる等、産業上での利用可能性は極めて大きいものがある。
【図面の簡単な説明】
【００２０】
【図１】  納骨容器の正面図
【図２】  花笠墓の正面図
【図３】  中蓋配設状態を示す一部断面した部分側面図
【図４】  ２次元コードを焼き付けた板の平面図
【符号の説明】
【００２１】  １  容器本体
２  台座部
３  空洞（納骨部）
４  蓋
５  花
６  台座
７  欠切部
８  弾性材
９  中蓋
１０  空気弁
１１  ガラス板
１２  ２次元コード
Ａ  納骨容器
Ｂ  花笠墓
【図１】
0003154811.tif 000003
【図２】
0003154811.tif 000004
【図３】
0003154811.tif 000005
【図４】
0003154811.tif 000006
【手続補正書】
【提出日】平成21年6月12日(2009.6.12)
【手続補正１】
【補正対象書類名】明細書
【補正対象項目名】全文
【補正方法】変更
【補正の内容】
【考案の詳細な説明】
【技術分野】
【０００１】本考案は、遺骨を納骨する納骨容器（墓）に関するものである。
【背景技術】
【０００２】  従来より骨つぼ（納骨容器）は白の陶磁器製の蓋付容器が一般的であり、格別に個性的な形状のものはみかけない。また墓石も個性的なものも見掛けるが全般的に見れば従来から変わっていない。【０００３】  一方、最近は一般的な墓の建立が困難になっている。原因の一つとして、特に都会においては手近に霊園が確保し難いこと、また墓石も高価なことが上げられるが、近年、一般的な霊園に墓石を建立すると言うのではなく、ロッカータイプの納骨システムが開発されてきた。【０００４】  ロッカータイプの納骨システムにも、石材製から金属製と種々開発されているが、いずれもロッカーの納骨室内部に骨つぼを収納すれば、その周辺にはあまり余裕はなく、献花する余地もないというのが実情である。また仮に献花可能な広さであっても、納骨室は扉で閉ざされることから生花を献花することは困難であった。【０００５】  また、霊園においても、従来からある和墓を建立するのではなく、霊園そのものを芝生を敷き詰めた用地とし、そこに小型の洋墓を建立することも実施されているが、洋墓とはいえ、従来からあるもので、墓石そのものに改良の余地は充分にあったのである。【０００６】  一方、従来の骨つぼは内部に湿気、露滴等による水が溜まることが問題になっており、この問題を解決するためには納骨容器内を常時乾燥状態に保持することが望まれる。【０００７】  従来より位牌には戒名が記されているだけで、故人（遺骨）の来歴等は個人墓であれば拝み石の側面とか背面に刻設されており、○○家の墓等の集合墓には霊標に刻設されているが、納骨容器には一般的に何の表示もされておらず、古いものになれば誰の骨つぼかの判別も難しいのは周知である。【０００８】  一方、拝み石とか霊標に刻設するにも、面積、即ち文字数の制限という問題もあり、特に最近は多い○○家の墓というような集合墓の霊標に刻設する場合には、多くても故人（遺骨）の俗名、没年月日、家族との関係程度しか刻設されていないのが現状である。【０００９】  最近、情報開示に２次元コードが利用されており、その中でもマトリックス方式の２次元コード、例えばＱＲコード（株式会社デンソーウェーブ商標）が広く利用されていることは周知である。当該ＱＲコードであれば漢字及びひらがなで１．８１７文字を記録することが出来る。またこのＱＲコードについては、特許権者のデンソーウェーブは、規格化された技術に対し特許権を行使しないと宣言している。
【考案の開示】
【考案が解決しようとする課題】
【００１０】  解決しようとする問題点は、納骨容器を単なる容器ではなく、個性的な容器とすることであり、更には常時納骨容器内部を乾燥状態とし、また納骨容器に故人の故事来歴を記すことである。
【課題を解決するための手段】
【００１１】  本考案は、納骨容器又は墓を常に花で飾ったものとし、納骨容器を単調な陶磁器の容器でなく美麗な容器とすること、納骨容器内部を常時乾燥状態にすること、納骨容器に故人（遺骨）の故事来歴を記すこと、これらが課題を解決するための手段である。
【考案の効果】
【００１２】納骨容器は従来は陶磁器の単なる白いつぼであったが、本考案は石材又はセラミックス又はクリスタルガラス又は金属からなり、円筒状で下方に向けて末広がりとし、内部は底を残して空洞とした中蓋付き容器と、当該容器に冠着する略半円球状の蓋からなり、当該蓋の外面には同じく石材又は陶磁器等からなる適宜の多数の花を固着してなる真空花笠納骨容器であり、更には、前記容器の上面内側にリング状の欠切部を設け、当該欠切部に弾性材を介して中蓋を装着すべく構成してなる真空花笠納骨容器であり、更には、前記中蓋に空気弁を配設し、当該空気弁を介して容器内を真空状態とすべく構成してなる真空花笠納骨容器であり、更には、中蓋の空気弁上部に板ガラス又はセラミックス板を載置して空気漏れを防ぐ構造となし、当該板ガラス又はセラミックス板の表面には、故人（遺骨）の故事来歴等を格納した２次元コードを焼き付けてなる真空花笠納骨容器であるから、ロッカータイプの納骨室内に花笠タイプの納骨容器を入れることで、納骨容器は常に花に飾られており、霊園に建立する場合も花笠墓であるから優美であり且つ霊園そのものの雰囲気も和らぐものである。また納骨容器内を真空にすることで、容器内は常時乾燥した状態となり、遺骨が湿気、水分により犯されることはない、しかも、空気弁の押さえの板に２次元コード、本実施例においてはＱＲコードを焼き付けることにより、納骨容器に故人（遺骨）の故事来歴等を詳細に格納することが出来る等、極めて実用的な効果を有するものである。
【考案を実施するための最良の形態】
【００１３】  本考案は、石材又はセラミックス又はクリスタルガラス又は金属からなり、円筒状で下方に向けて末広がりとし、内部は底を残して空洞とした中蓋付き容器と、当該容器に冠着する略半円球状の蓋からなり、当該蓋の外面には同じく石材又は陶磁器等からなる適宜の多数の花を固着してなる真空花笠納骨容器であり、更には、前記容器の上面内側にリング状の欠切部を設け、当該欠切部に弾性材を介して中蓋を装着すべく構成してなる真空花笠納骨容器であり、更には、前記中蓋に空気弁を配設し、当該空気弁を介して容器内を真空状態とすべく構成してなる真空花笠納骨容器であり、更には、中蓋の空気弁上部に板ガラス又はセラミックス板を載置して空気漏れを防ぐ構造となし、当該板ガラス又はセラミックス板の表面には、故人（遺骨）の故事来歴等を格納した２次元コードを焼き付けてなる真空花笠納骨容器を呈せんとするものである。
【実施例１】
【００１４】  図１及び図２に示すように、本体１は円筒状で下方に向けて末広がりとし、下端部分には更に大径とした台座部２を設けると共に、内部は底を残して空洞（納骨部３）とした容器を大理石又はセラミックス又はクリスタルガラス又は金属等により形成する。当該本体１に冠着する蓋４は略半円球状とし、同じく大理石又はセラミックス又はクリスタルガラス又は金属製としている。当該蓋４の外面には同じく石材又は陶磁器等からなる適宜の多数の花５、５…を固着し納骨容器Ａとしている。花５の種類、大きさ、固着方法に限定を受けるものではない。尚、本実施例においては容器本体１並びに蓋４は大理石又はセラミックス又はクリスタルガラス又は金属性としているが、これらに限定されるものではなく、その他の材料を用いることもある。【００１５】  納骨容器本体１の納骨部３の上部にはリング状に欠切部７を形成し、当該欠切部７に適宜の弾性材８を介してガラス又はセラミックス又はクリスタルガラス又は金属製の中蓋９を配設している。【００１６】  中蓋９には納骨部３を真空とするための空気弁１０を配設し、当該空気弁１０の上部をガラス又はセラミックスからなる板１１で覆っている。当該板１１と前記中蓋９の間にはゲル状剤を介在せしめてもよい。空気弁１０については、納骨部３内の空気を抜いて内部を真空に維持できる弁であれば、その形態、構造は問わない。【００１７】板１１の表面には、故人（遺骨）の故事来歴等を格納したマトリックス方式の２次元コード１２、例えばＱＲコード（株式会社デンソーウェーブ商標）を焼き付けている。ただ当該２次元コード１２は板１１に限定されるものではなく、納骨容器本体１又は蓋４に平面部を設けて焼き付けてもよく、また２次元コード１２を焼き付けた板を固着してもよい。尚、現時点の２次元コード１２の能力は漢字又はひらがなで１．８１７文字であるが、技術の進歩により、より高能力の２次元コードとなることは当然として考えられることであり、本考案にいう２次元コードは、文字の他に、例えば文字、画像、写真、動画、音声等も格納できる将来的２次元コードと認識している。
【実施例２】
【００１８】  図２に示すように、本体１の下端部分に位置する台座部２の下に更に適宜の高さで台座部２より更に大径の台座６を設け花笠墓Ｂとしている。【００１９】  本考案の説明の中では、故人（遺骨）の故事来歴等を格納した２次元コードとしているが、遺骨は故人に限定されるものではなく、ペットの遺骨を納骨する容器も含まれるものである。
【産業上の利用可能性】
【００２０】  本考案は、石材又はセラミックス又はクリスタルガラス又は金属からなり、円筒状で下方に向けて末広がりとし、内部は底を残して空洞３とした中蓋９付き容器１と、当該容器１に冠着する略半円球状の蓋４からなり、当該蓋４の外面には同じく石材又は陶磁器等からなる適宜の多数の花５、５…を固着してなる真空花笠納骨容器Ａであり、更には、前記容器１の上面内側にリング状の欠切部７を設け、当該欠切部７に弾性材８を介して中蓋９を装着すべく構成してなる真空花笠納骨容器Ａであり、更には、前記中蓋９に空気弁１０を配設し、当該空気弁１０を介して容器１内を真空状態とすべく構成してなる真空花笠納骨容器Ａであり、更には、中蓋９の空気弁１０上部に板ガラス又はセラミックス板１１を載置して空気漏れを防ぐ構造となし、当該板ガラス又はセラミックス板１１の表面には、故人（遺骨）の故事来歴等を格納した２次元コード１２を焼き付けてなる真空花笠納骨容器Ａであるから、従来は骨つぼ（納骨容器）と言えば白の陶磁器製の蓋付容器が一般的であり、格別に個性的な形状のものはみかけなかったし、また墓石も個性的なものも見掛けるが全般的に見れば従来から変わっていなかった。更にはロッカータイプの納骨室にあっては、その納骨室のスペースから献花も容易でなく、しかも芝生を敷き詰めたような綺麗な霊園にも従来からの洋墓しか建立されていなかったが、本考案ではロッカータイプの納骨室内に花笠タイプの納骨容器Ａを入れることで、納骨容器Ａは常に花に飾られており、霊園に建立する場合も花笠墓Ｂであるから優美であり且つ霊園そのものの雰囲気も和らぐものである。また、納骨部３の上端には欠切部７を設けて中蓋９を配設し、当該中蓋９に付設した空気弁１０にて納骨部３内を真空としているので、納骨部３内は常時乾燥状態に維持でき、遺骨が損傷することはない、しかも空気弁１０を覆う板１１には故人（遺骨）の故事来歴を格納した２次元コード１２を配設しているので空気漏れを防ぐと共に、携帯電話等により２次元コードを読み取れば故人の故事来歴が詳細に分かる等、産業上での利用可能性は極めて大きいものがある。
【図面の簡単な説明】
【００２１】
【図１】  納骨容器の正面図
【図２】  花笠墓の正面図
【図３】  中蓋配設状態を示す一部断面した部分側面図
【図４】  ２次元コードを焼き付けた板の平面図
【符号の説明】
【００２２】  １  容器本体
２  台座部
３  空洞（納骨部）
４  蓋
５  花
６  台座
７  欠切部
８  弾性材
９  中蓋
１０  空気弁
１１  ガラス板
１２  ２次元コード
Ａ  納骨容器
Ｂ  花笠墓
【手続補正２】
【補正対象書類名】実用新案登録請求の範囲
【補正対象項目名】全文
【補正方法】変更
【補正の内容】
【実用新案登録請求の範囲】
【請求項１】
石材又はセラミックス又はクリスタルガラス又は金属からなり、円筒状で下方に向けて末広がりとし、内部は底を残して空洞とした中蓋付き容器と、当該容器に冠着する略半円球状の蓋からなり、当該蓋の外面には同じく石材又は陶磁器等からなる適宜の多数の花を固着してなる真空花笠納骨容器。
【請求項２】
前記容器の上面内側にリング状の欠切部を設け、当該欠切部に弾性材を介してガラス又はセラミックス又は金属製の中蓋を装着すべく構成してなる請求項１の真空花笠納骨容器。
【請求項３】
前記中蓋に空気弁を配設し、当該空気弁を介して容器内を真空状態とすべく構成してなる請求項１及び請求項２の真空花笠納骨容器。
【請求項４】
中蓋の空気弁上部に板ガラス又はセラミックス板を載置して空気漏れを防ぐ構造となし、当該板ガラス又はセラミックス板の表面には、故人（遺骨）の故事来歴等を格納した２次元コードを焼き付けてなる請求項１及び請求項２及び請求項３の真空花笠納骨容器。
【手続補正書】
【提出日】平成21年7月27日(2009.7.27)
【手続補正１】
【補正対象書類名】実用新案登録請求の範囲
【補正対象項目名】全文
【補正方法】変更
【補正の内容】
【実用新案登録請求の範囲】
【請求項１】
石材又はセラミックス又はクリスタルガラス又は金属からなり、円筒状で下方に向けて末広がりとし、内部は底を残して空洞とした中蓋付き容器と、当該容器に冠着する略半円球状の蓋からなり、当該蓋の外面には同じく石材又は陶磁器等からなる適宜の多数の花を固着してなる真空花笠納骨容器。
【請求項２】
前記容器の上面内側にリング状の欠切部を設け、当該欠切部に弾性材を介してガラス又はセラミックス又は金属製の中蓋を装着すべく構成してなる請求項１の真空花笠納骨容器。
【請求項３】
前記中蓋に空気弁を配設し、当該空気弁を介して容器内を真空状態とすべく構成してなる請求項１または請求項２の真空花笠納骨容器。
【請求項４】
中蓋の空気弁上部に板ガラス又はセラミックス板を載置して空気漏れを防ぐ構造となし、当該板ガラス又はセラミックス板の表面には、故人（遺骨）の故事来歴等を格納した２次元コードを焼き付けてなる請求項１〜３のいずれか１項に記載の真空花笠納骨容器。
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
石材又はセラミックス又はクリスタルガラス又は金属からなり、円筒状で下方に向けて末広がりとし、内部は底を残して空洞とした中蓋付き容器と、当該容器に冠着する略半円球状の蓋からなり、当該蓋の外面には同じく石材又は陶磁器等からなる適宜の多数の花を固着してなる真空花笠納骨容器。
【請求項２】
前記容器の上面内側にリング状の欠切部を設け、当該欠切部に弾性材を介してガラス又はセラミックス又は金属製の中蓋を装着すべく構成してなる請求項１の真空花笠納骨容器。
【請求項３】
前記中蓋に空気弁を配設し、当該空気弁を介して容器内を真空状態とすべく構成してなる請求項２の真空花笠納骨容器。
【請求項４】
前記中蓋の空気弁上部に板ガラス又はセラミックス板を載置して空気漏れを防ぐ構造となし、当該板ガラス又はセラミックス板の表面には、故人（遺骨）の故事来歴等を格納した２次元コードを焼き付けてなる請求項３の真空花笠納骨容器。